(57)【要約】【課題】簡単にフィルタやレンズを切り換えたり、ストロボの光調整を行って、被写体に対応した撮影を行う。【解決手段】カメラを使用するダイバーは、必要に応じて切換レバー２００を操作する。切換レバー２００が回転すると、回転軸２０４を介して切換ギア２１０が回転し、これがギア２１８を介して回転軸２１６に伝達し、更にはフィルタ・レンズホルダー２１４が回転してフィルタ２２２やクローズアップレンズ２２４が撮影レンズ系２１２の位置となる。【選択図】      図２
2004309666.tif 000002
【特許請求の範囲】
【請求項１】
防水構造のケース内に、カメラ本体が収納された防水カメラであって、
前記ケース内であって、前記カメラ本体の撮影レンズ系の光入射側に配置された素子保持手段，
この素子保持手段に保持された少なくとも一つの光学素子，
前記撮影レンズ系に対する前記光学素子の配置切換えを行うための素子切換手段，
を備えたことを特徴とする防水カメラ。
【請求項２】
前記素子保持手段が扇状のホルダーであり、
前記切換手段が、前記ケースの外側にシーリングされて設けられており、かつ、前記ホルダーを回転させるためのレバーを含むことを特徴とする請求項１記載の防水カメラ。
【請求項３】
前記光学素子が、フィルタ，レンズ，もしくはそれらを組み合わせたもの，のいずれかを含むことを特徴とする請求項１又は２記載の防水カメラ。
【請求項４】
前記ケース内であって、前記カメラ本体のストロボの光射出側に配置されたシャッター手段，
このシャッター手段に設けられた少なくとも一つの光調整素子，
前記ストロボに対する前記光調整素子の配置切換えを行うためのストロボ切換手段，
を備えたことを特徴とする請求項１〜３のいずれかに記載の防水カメラ。
【請求項５】
前記光調整素子が矩形状の光学板であり、
前記ストロボ切換手段が、前記ケースの外側にシーリングされて設けられており、かつ、前記光学板を摺動させるためのレバーを含むことを特徴とする請求項４記載の防水カメラ。
【請求項６】
前記光調整素子が、減光板，拡散板，遮光板，もしくはそれらを組み合わせたもの，のいずれかを含むことを特徴とする請求項４又は５記載の防水カメラ。
【発明の詳細な説明】
【０００１】
【発明の属する技術分野】
本発明は、防水カメラに関するものであり、特に、水中における写真撮影もしくはビデオ撮影に好適な防水カメラに関するものである。
【０００２】
【背景技術】
水中では、主として水による光吸収があるため、写真撮影やビデオ撮影において被写体本来の色を再現することが困難である。そこで、従来の水中カメラでは、フィルタやストロボ（ビデオ撮影ではビデオライト）を使用することで、被写体の色再現を工夫している。
【０００３】
例えば、水は赤色の光を吸収するので、青色の光が相対的に強くなる。従って、青色の光を吸収するようなフィルタを使用すれば、結果的に赤色が強調されるようになる。特にデジタルカメラにおいては、その特性から色の再現性がフィルムカメラに比較して一層劣る。このため、水中ではコントラストのない映像になりがちであり、フィルタの使用が望ましい。
【０００４】
一方、水中撮影では、被写体の色を再現するため、ストロボを使用することが多い。しかし、マクロ撮影では、カメラが被写体に接近するためにストロボの光が強すぎる場合があり、減光するためのフィルタを使用することがある。
【０００５】
また、水中撮影の主な被写体としては、数ミリ以下の微小な生物もあれば、数メートル以上の大きな魚や魚群，更には水中景観もある。このため、小さい生物を拡大して撮影するためのクローズアップレンズや、広い範囲を撮影するためのワイドコンバージョンレンズなど、各種のレンズが使用される。
【０００６】
このように、水中撮影において撮影意図を十分に満たすためには、何種類かのフィルタや交換レンズを持ち運び、状況により着脱して使用する必要がある。
【０００７】
ところで、水中用のカメラ機材としては、上述したフィルタやレンズを防水ハウジング（ないし防水ケース）内にカメラとともに収納するタイプもあるが、防水ハウジングの外側に取り付けるタイプもある。特に、フィルタやレンズとカメラとの間に水が入り込むことで所望の光学特性が得られるようにしたタイプでは、水中で状況に応じてレンズやフィルタを交換できるので便利である。
【０００８】
しかし、水中では、ダイバーは、水中マスクによって視野が制限される，特に冬季など水温が低い環境では厚手のグローブを使用するために指先の感覚が極端に低下する，などといった状況にある。酸素ボンベの残圧確認や、ＢＣ（Ｂｕｏｙａｎｃｙ  Ｃｏｎｔｒｏｌｌｅｒ：浮力制御器）に対する空気出し入れなどのスクーバ（ｓｅｌｆ−ｃｏｎｔａｉｎｅｄ  ｕｎｄｅｒｗａｔｅｒ  ｂｒｅａｔｈｉｎｇ  ａｐｐａｒａｔｕｓ：自給気式潜水装置）の操作も行わなければならない。水の流れがある場合には、自分の姿勢を保持しつつ、撮影を行う必要もある。このような理由から、レンズやフィルタの交換といったカメラ機材の操作をできる限り簡便に行うことが要望されている。
【０００９】
従来、複数のフィルタやレンズを切換使用できるようにしたものとして、特許文献１に開示された防水式カメラ装置がある。この装置は、防水ケース本体と防水ケースカバー体によって構成されている。防水ケースには、カメラが位置決めされて収容されている。防水ケースカバー体は、防水ケース本体にシールリングによって防水シールされており、かつ、回動可能に結合されている。防水ケース本体には、カメラのファインダーを覗くための窓部や、カメラの操作ボタンを間接操作するための作動ボタンが設けられている。防水ケースカバー体には、その周面に複数のコンバージョンレンズやフィルタが設けられている。防水ケースカバー体を回転操作することによって、カメラの撮影レンズと対応する位置のレンズもしくはフィルタが切り換えられる。
【特許文献１】
特開２００３−１５２０７の図１，図４，図６，図７
【００１０】
【発明が解決しようとする課題】
しかしながら、以上のような背景技術には次のような不都合がある。
（１）防水ケースカバー体を回転させると、装置内部に収納されているカメラも回転する恐れがあり、ケース側のフィルタやレンズの光軸とカメラ側の光軸がずれて良好な撮影ができない可能性がある。
（２）防水ケースカバー体を回転させる際に、ダイバーの手がフィルタやレンズ面に触れて汚してしまう恐れがある。レンズ面に触れないようにすると、簡便に操作することができない。また、片手で操作することが困難である。
（３）防水ケースカバー体と防水ケース本体との摺動部分が大きいため、シーリング性（水密性）に不安がある。
【００１１】
本発明は、以上の点に着目したもので、その目的は、水中におけるカメラ機材操作の煩わしさを改善し、簡便な操作でフィルタやレンズを切り換えて、良好な撮影を行うことである。他の目的は、シーリング性能を維持しつつフィルタやレンズを切り換えることである。更に他の目的は、ストロボについても撮影状況に応じて簡便に切り換えることである。
【００１２】
【課題を解決するための手段】
前記目的を達成するため、本発明は、防水構造のケース内に、カメラ本体が収納された防水カメラであって、前記ケース内であって、前記カメラ本体の撮影レンズ系の光入射側に配置された素子保持手段，この素子保持手段に保持された少なくとも一つの光学素子，前記撮影レンズ系に対する前記光学素子の配置切換えを行うための素子切換手段，を備えたことを特徴とする。
【００１３】
主要な形態の一つは、前記素子保持手段が扇状のホルダーであり、前記切換手段が、前記ケースの外側にシーリングされて設けられており、かつ、前記ホルダーを回転させるためのレバーを含むことを特徴とする。あるいは、前記光学素子が、フィルタ，レンズ，もしくはそれらを組み合わせたもの，のいずれかを含むことを特徴とする。
【００１４】
他の形態は、前記ケース内であって、前記カメラ本体のストロボの光射出側に配置されたシャッター手段，このシャッター手段に設けられた少なくとも一つの光調整素子，前記ストロボに対する前記光調整素子の配置切換えを行うためのストロボ切換手段，を備えたことを特徴とする。あるいは、前記光調整素子が矩形状の光学板であり、前記ストロボ切換手段が、前記ケースの外側にシーリングされて設けられており、かつ、前記光学板を摺動させるためのレバーを含むことを特徴とする。あるいは、前記光調整素子が、減光板，拡散板，遮光板，もしくはそれらを組み合わせたもの，のいずれかを含むことを特徴とする。
本発明の前記及び他の目的，特徴，利点は、以下の詳細な説明及び添付図面から明瞭になろう。
【００１５】
【発明の実施の形態】
＜実施形態の構成＞・・・以下、本発明の実施の形態について詳細に説明する。この実施形態は、本発明をデジタルカメラに適用した例である。図１には、本発明の一実施形態にかかる防水カメラの外観が示されている。この図において、筐体であるケース１０は、例えば樹脂材料によって形成されており、図１における表左側にはカメラを持つためのグリップ１２が設けられている。ケース１０の左側面には、記憶メディアや駆動用のバッテリー（例えば単三電池）を内部に収納するメディア・バッテリーカバー１４（後述する図２参照）が設けられており、右側面には、外部接続用端子を内部に収納する端子カバー１６が設けられている。外部接続用端子としては、画像データを外部に取り出すためのＵＳＢ（Ｕｎｉｖｅｒｓａｌ  Ｓｅｒｉａｌ  Ｂｕｓ）端子，テレビに出力するためのコネクタ端子，充電用の電源端子などが必要に応じて設けられる。これらのメディア・バッテリーカバー１４及び端子カバー１６の周縁には、いずれもＯリング１４Ａ，１６Ａが設けられており、ケース１０に閉じた状態でシール（水密）状態となるように構成されている。
【００１６】
ケース１０の上面左側には、モードスイッチ２０が回転可能に設けられており、これを回転することでカメラの動作モードを選択できるようになっている。動作モードとしては、例えば、撮影した画像を表示するプレビューモード，撮影を行う撮影モード，動画撮影を行うムービーモード，撮影条件の設定を行うセットアップモードが用意されている。モードスイッチ２０の中央には撮影用のシャッターボタン２２が設けられており、右側には電源ＯＮ・ＯＦＦ用のパワースイッチ２４が設けられている。また、ケース１０の上面前側には、外部ストロボ（図示せず）をマスター・スレーブ動作させるための光ファイバを取り付けるコネクタ２６が設けられている。カメラ付属のストロボのみでは光量が不足するときには、外部ストロボを使用する。
【００１７】
ケース１０の正面中央上部には、ストロボ窓３０が設けられており、右側にはレンズ窓３２が設けられている。レンズ窓３２の周囲には、例えばワイドコンバージョンレンズ（図示せず）を着脱するためのマウント３４が設けられている。また、フォーカスセンサ用の窓も必要に応じて設けられる。ケース１０の背面には、液晶モニタ用の窓や、ズーム，セルフタイマー，メニュー，液晶モニタＯＮ・ＯＦＦ，ストロボモード切換などの操作を行うための複数のボタンスイッチが設けられている（いずれも図示せず）。
【００１８】
ところで、本実施形態においては、ケース１０の上面右側に、ストロボ切換レバー１００が設けられている。このストロボ切換レバー１００は、ケース１０上に形成されたプレート１０２に設けられた円弧上のスリット１０４に沿って、回転軸１０６を中心に回転可能となっている。また、スリット１０４の両端位置ＰＡ，ＰＢにおいて位置決めされるクリック機構ともなっている。位置ＰＡの状態（図示の状態）ではストロボ窓３０が「閉」となり、位置ＰＢの状態ではストロボ窓３０が「開」となる。
【００１９】
一方、ケース１０の正面下側には、切換レバー２００が設けられている。この切換レバー２００は、ケース１０上に形成されたプレート２０２上で、回転軸２０４を中心に回転可能となっている。切換レバー２００を操作することで、後述するように、レンズ窓３２の内側に設けられたフィルタもしくはレンズが切り換えられる。なお、この切換レバー２００についても、上述したストロボ切換レバー１００と同様に、切換位置で停止するクリック機構としてよい。
【００２０】
次に、本実施形態のカメラ内部の構成について説明する。図２には、カメラ内部の構成が示されており、その正面が図３に示されている。これらの図において、カメラ内部はフレーム３００を中心に構成されており、上述したメディア・バッテリーカバー１４及び端子カバー１６はケース１０に対して開閉可能に取り付けられている。フレーム３００の内側には、ＣＣＤ，撮影レンズ系（ズームレンズ系），ファインダーレンズ系，電子回路系などを含むデジタルカメラ本体が収納されている。
【００２１】
フレーム３００の正面左側には、バッテリー収納部３０２が設けられており、駆動用のバッテリー（図示せず）が上述したメディア・バッテリーカバー１４を介して収納可能となっている。バッテリー収納部３０２の裏面には、メモリカードなどの記録メディアの収納部（図示せず）が設けられており、上述したメディア・バッテリーカバー１４を介して収納可能となっている。フレーム３００の右側面には、デジタルカメラ本体の電子回路系に接続されている各種端子が露出しており、上述した端子カバー１６を介して外部接続可能となっている。一方、モードスイッチ２０，シャッターボタン２２，パワースイッチ２４は、フレーム３００の上面側からデジタルカメラ本体の電子回路系に接続されている。
【００２２】
次に、本実施形態の特徴部分について説明する。上述したストロボ切換レバー１００は、回転軸１０６の上端に設けられており、回転軸１０６はフレーム３００に回転可能に軸止めされている。回転軸１０６の下方には、扇状のギア（以下「ストロボギア」という）１１０が設けられている。一方、デジタルカメラ本体のストロボ（後述する図４参照）は、上述したストロボ窓３０に対応する位置に、フレーム３００で囲まれるように設けられている。そして、このストロボの光射出側に、減光用の矩形の光学板であるストロボシャッター１１２が矢印ＦＡ方向に摺動（スライド）可能に設けられている。図示の状態は、ストロボがストロボシャッター１１２で隠されている状態である。
【００２３】
ストロボシャッター１１２の右上端には、前記ストロボギア１１０に噛み合っているスライダ（スライドギア）１１４が設けられており、このスライダ１１４は、フレーム３００に設けられたガイド１１６に沿って矢印ＦＡ方向にスライド可能となっている。スライダ１１４には長穴１１８が設けられており、ガイド１１６には突起１２０が設けられている。この突起１２０が長穴１１８の端に当たることで、スライド動作が規制されている。なお、フレーム３００側にも、スライド規制用の突起１２２が設けられている。
【００２４】
ここで、ストロボ切換の動作を説明すると、カメラを使用するダイバーは、必要に応じてストロボ切換レバー１００を操作する。まず、ストロボ切換レバー１００を位置ＰＡとすると、ストロボシャッター１１２は、図２もしくは図３に示す状態となり、ストロボが発光しても、その光が減光されてストロボ窓３０から射出される状態となる。この状態からストロボ切換レバー１００を位置ＰＢの方向に回転すると、ストロボギア１１０も回転し、スライダ１１４が図３の左方向にスライドするようになる。このため、ストロボシャッター１１２も、図３の左方向にスライドするようになる。そして、ストロボ切換レバー１００が位置ＰＢとなると、ストロボシャッター１１２も完全に移動し、ストロボがストロボ窓３０に露出するようになる。すなわち、ストロボの光が減光されることなくストロボ窓３０から射出される状態となる。
【００２５】
次に、上述した切換レバー２００は、回転軸２０４の上端に設けられており、回転軸２０４はフレーム３００に回転可能に軸止めされている。回転軸２０４の下方には、扇状のギア（以下「切換ギア」という）２１０が設けられている。一方、デジタルカメラ本体の撮影レンズ系２１２の前面には、扇状のフィルタ・レンズホルダー（以下単に「ホルダー」という）２１４が回転可能に配置されている。このホルダー２１４は、前記撮影レンズ系２１２の下部位置でフレーム３００に回転可能に支持されている回転軸２１６に固定されている。また、回転軸２１６には、前記切換ギア２１０に噛み合うギア２１８が設けられている。前記ホルダー２１４には、素通し窓２２０，自然光に対するカラー補正用のフィルタ２２２，クローズアップレンズ２２４がそれぞれ設けられている。フィルタ２２２及びクローズアップレンズ２２４のいずれも、撮影レンズ系２１２の視野ないし画角を十分カバーする大きさとなっている。そして、ホルダー２１４が回転することで、フィルタ２２２の場合は撮影レンズ系２１２の視野を覆うようになり、クローズアップレンズ２２４の場合は、撮影レンズ系２１２と光軸が合う位置となるとともに、撮影レンズ系２１２の視野を覆うようになる。
【００２６】
ここで、フィルタ・レンズ切換の動作を説明すると、カメラを使用するダイバーは、必要に応じて切換レバー２００を操作する。切換レバー２００が回転すると、回転軸２０４を介して切換ギア２１０が回転し、これがギア２１８を介して回転軸２１６に伝達し、更にはホルダー２１４が回転してフィルタ２２２やクローズアップレンズ２２４が撮影レンズ系２１２の光入射位置となる。
【００２７】
なお、上述したスイッチやレバーは、いずれもケース１０に対してシーリング状態でかつ回転もしくは摺動可能となっている。例えば、パワースイッチ２４を代表して説明すると、その軸２４Ｄにバネ２４Ａ，座板２４Ｂ，シーリング用のＯリング２４Ｃを順次挿通した状態で、更にケース１０を軸２４Ｄが貫通する。そして、ケース１０内側で止め具２４Ｅが軸２４Ｄに取り付けられる。バネ２４Ａの作用によりパワースイッチ２４はケース１０の外側に付勢されているが、止め具２４Ｅによってケース１０に係止されている。一方、バネ２４Ａによって座板２４ＢがＯリング２４Ｃ側に押し付けられるため、ケース１０に対するシーリングが確保される。他も同様である。
【００２８】
＜実施形態の動作＞・・・次に、以上のように構成された防水カメラの全体的動作を説明する。まず、フィルタ２２２やクローズアップレンズ２２４を使用しないときは、切換レバー２００を操作し、図４（Ａ）に示すように、ホルダー２１４の素通し窓２２０が撮影レンズ系２１２の位置となるようにする。このようにすることで、撮影レンズ系２１２のみによる水中撮影を行うことができる。そして、ストロボ撮影を行うときは、図４（Ａ）に示すようにストロボ切換レバー１００を位置ＰＢに動かしてストロボシャッター１１２を移動し、ストロボ２９から射出された光がストロボ窓３０から射出されるようにする。一方、ストロボを減光するときは、ストロボ切換レバー１００を位置ＰＡに動かしてストロボシャッター１１２を移動し、ストロボ２９を覆うようにする。
【００２９】
次に、フィルタ２２２を使用する場合について説明する。この場合は、切換レバー２００を操作し、図４（Ｂ）に示すように、ホルダー２１４のフィルタ２２２が撮影レンズ系２１２の位置となるようにする。本例では、フィルタ２２２は自然光用のフィルタとなっており、ストロボ用のフィルタではない。そこで、ストロボ切換レバー１００を位置ＰＡに動かして図４（Ｂ）に示すようにストロボシャッター１１２を移動し、ストロボ２９から射出された光を減光する。もちろん、ストロボ２９の発光を停止するようにしてもよい。
【００３０】
次に、クローズアップレンズ２２４を使用する場合について説明する。この場合は、切換レバー２００を操作し、図４（Ｃ）に示すように、ホルダー２１４のクローズアップレンズ２２４が撮影レンズ系２１２の位置となるようにする。ストロボは必要に応じて使用する。しかし、クローズアップ撮影の場合、比較的小さな魚などが被写体となり、カメラと被写体との距離が近い。そこで、図４（Ｃ）に示すように、ストロボ切換レバー１００を位置ＰＡに動かしてストロボシャッター１１２を移動し、ストロボ２９から射出された光を減光する。
【００３１】
上述した撮影態様は一例であり、実際の水中撮影においては、撮影意図に応じてフィルタやレンズの切換え，ストロボの切換えを行ってよい。また、液晶モニタを見ながら切換レバー２００を操作することで、フィルタやレンズを選択しながら撮影を行うようにしてもよい。
【００３２】
＜実施形態の効果＞・・・以上のように、本実施形態によれば、次のような効果がある。
（１）交換用のフィルタやレンズが切換可能にケースに内蔵されているので、水中でフィルタやレンズの着脱を行うことなくフィルタやレンズの切換えを行うことができる。従って、シャッターチャンスを逃す機会が大幅に低減されるとともに、フィルタなどを紛失するなどの恐れもない。
（２）切換レバーの操作のみで簡単にフィルタやレンズを切り換えることができ、ストロボ切換レバーによる操作のみで減光を行うことができる。片手での操作も不可能ではないので、流れがある中で片手で姿勢を保持しながら撮影する，片手でスクーバを操作しつつ撮影することもできるという優れた操作性を有する。
（３）ストロボ切換レバーや切換レバーと、ケースとの摺動部分におけるシーリング性も良好である。
【００３３】
＜他の実施形態＞・・・本発明には数多くの実施形態があり、以上の開示に基づいて多様に改変することが可能である。例えば、次のようなものも含まれる。
（１）前記実施形態では、素通し窓２２０，フィルタ２２２，クローズアップレンズ２２４を切り換えられるようにしたが、切り換える光学素子は、必要に応じて適宜設定してよい。また、切り換える光学素子の個数も必要に応じて増減してよい。例えば、
▲１▼素通し窓，カラー補正用のフィルタ，ストロボ用の減光フィルタを設ける。
▲２▼素通し窓，倍率の小さなクローズアップレンズ，倍率の大きなクローズアップレンズを設ける。
などである。もちろん、各種のレンズやフィルタを組み合わせて適用してよい。フィルタとレンズを組み合わせたものを複数使用することも可能である。前記実施形態では、ホルダー２１４に素通し窓２２０を設けたが、ホルダー２１４が撮影レンズ系２１２の前面にかからない状態を素通し窓としてもよい。
【００３４】
（２）前記実施形態では、ストロボシャッターによってストロボ光を減光調整したが、拡散板や遮光板などの他の光学板や、それらを組み合わせたものを光調整素子として使用してよい。例えば、図５（Ａ）に示すように、ストロボシャッター１１２に拡散板１１３を更に付加し、ストロボ光そのまま射出（同図（Ａ）参照），ストロボ光減光射出（同図（Ｂ）参照），ストロボ光拡散射出（同図（Ｃ）参照）の３つのモードから選択できるようにしてもよい。例えば、マウント３４にワイドコンバージョンレンズを装着して広角撮影を行うときは、拡散板１１３を使用することで光が拡散されるようになり、広い範囲に光が回るようになる。あるいは、マクロ撮影の場合に、ストロボ光の拡散射出を行うことで、減光を行うことができるとともに、光が被写体に十分回り込むようにするという具合である。遮光は、外部ストロボを使用する場合などに都合がいい機能である。
【００３５】
（３）前記実施形態で示した各部の機械的な機構は一例であり、同様の動作を行うように公知の各種の機構を利用してよい。形状，寸法についても同様である。例えば、前記実施形態では、フィルタ・レンズ切換えを回転式とし、ストロボ発光切換えをスライト式としたが、いずれとするかは適宜設定してよい。
【００３６】
（４）前記実施形態は、本発明をデジタルカメラに適用したものであるが、フィルムカメラやビデオカメラにも適用可能である。また、本発明は、特に水中撮影に効果的であるが、陸上における使用を妨げるものではない。また、防水構造であることから防塵，防湿にも効果的である。
【００３７】
【発明の効果】
以上説明したように、本発明によれば、次のような効果がある。
（１）少なくとも一つの光学素子をケース内部に配置し、これをケース外部からの操作で切り換えるようにしたので、簡単な操作で良好に光学素子を切り換えることができ、光学素子の交換に煩わされることなく、被写体に応じた撮影が可能となる。
（２）ストロボに対しても、同様にケース内部に少なくとも一つの光調整素子を配置し、これをケース外部の操作で切り換えるようにしたので、簡単な操作でストロボ射出を調整することができ、被写体に応じた撮影が可能となる。
【図面の簡単な説明】
【図１】本発明の一実施形態の防水カメラの外観を示す斜視図である。
【図２】前記実施形態の内部構造を示す斜視図である。
【図３】図２を正面から見た図である。
【図４】前記実施形態における光学素子とストロボの切り換えの様子を示す説明図である。
【図５】ストロボの切換機構の他の実施形態を示す説明図である。
【符号の説明】
１０・・・ケース
１２・・・グリップ
１４・・・メディア・バッテリーカバー
１４Ａ，１６Ａ・・・Ｏリング
１６・・・端子カバー
２０・・・モードスイッチ
２２・・・シャッターボタン
２４・・・パワースイッチ
２４Ａ・・・バネ
２４Ｂ・・・座板
２４Ｃ・・・Ｏリング
２４Ｄ・・・軸
２４Ｅ・・・止め具
２６・・・コネクタ
２９・・・ストロボ
３０・・・ストロボ窓
３２・・・レンズ窓
３４・・・ワイドコンバージョンマウント
１００・・・ストロボ切換レバー
１０２・・・プレート
１０４・・・スリット
１０６・・・回転軸
１１０・・・ストロボギア
１１２・・・ストロボシャッター
１１３・・・拡散板
１１４・・・スライダ
１１６・・・ガイド
１１８・・・長穴
１２０，１２２・・・突起
２００・・・切換レバー
２０２・・・プレート
２０４・・・回転軸
２１０・・・切換ギア
２１２・・・撮影レンズ系
２１４・・・フィルタ・レンズホルダー
２１６・・・回転軸
２１８・・・ギア
２２０・・・素通し窓
２２２・・・フィルタ
２２４・・・クローズアップレンズ
３００・・・フレーム
３０２・・・バッテリー収納部
【図１】
2004309666.tif 000003
【図２】
2004309666.tif 000004
【図３】
2004309666.tif 000005
【図４】
2004309666.tif 000006
【図５】
2004309666.tif 000007